【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
ＬＥＤ装置を駆動するドライバ回路であって、前記ドライバ回路は、
前記ＬＥＤ装置に駆動電流を供給するための電源であって、調光された入力電力を前記駆動電流に変換する電源と、
前記ＬＥＤ装置を通るＬＥＤ装置電流を感知する、前記ＬＥＤ装置と直列の電流感知素子と、
前記ＬＥＤ装置と並列に接続されたブリード経路を有するブリーダ回路であって、前記ＬＥＤ装置の出力電力を低減するために前記駆動電流からブリード部分を除去するブリーダ回路と、
前記電流感知素子によって感知された前記ＬＥＤ装置電流が閾値未満の場合に、前記ＬＥＤ装置を更に減光するために、前記ブリーダ回路を有効にするための制御回路と
を含み、
前記ドライバ回路は更に、前記ＬＥＤ装置の両端を接続するための平滑コンデンサを備え、
前記電源は、第２のフェーズでは前記平滑コンデンサを充電し、第１のフェーズでは前記平滑コンデンサを充電せずに前記平滑コンデンサが放電するのを可能にする、前記駆動電流を提供し、
前記ドライバ回路は更に、前記電流感知素子によって感知された前記ＬＥＤ装置電流が閾値未満の場合に、前記ＬＥＤ装置を更に減光するために、前記ブリーダ回路を有効にするための制御回路であって、前記第１のフェーズにおいて充電コンデンサ電流が流れていないときには前記ブリーダ回路を停止する制御回路を備える、ドライバ回路。
【請求項２】
前記ブリーダ回路と前記平滑コンデンサとの間に減結合ダイオードの形態で切替装置を更に備えて、前記ブリーダ回路が前記第１のフェーズにおいて前記平滑コンデンサからの放電電流をブリードするのを防止し、前記減結合ダイオードは前記ブリーダ回路から前記平滑コンデンサに順方向に向けられている、
請求項１に記載のドライバ回路。
【請求項３】
前記ブリーダ回路は、ダイオードを介して前記電源の出力と結合された前記ブリード経路を備え、前記ブリーダ回路は更に、前記ブリード経路と並列のコンデンサを備え、前記ブリード経路は前記減結合ダイオードを介して前記平滑コンデンサから遮断され、前記ブリーダ回路は更に制御経路を備え、前記平滑コンデンサは前記制御経路に結合されている、
請求項１に記載のドライバ回路。
【請求項４】
前記ブリード経路は前記平滑コンデンサ及び前記ＬＥＤ装置と並列に接続され、
前記ブリーダ回路は更に制御経路を備え、前記電源の出力が前記制御経路に結合され、前記制御経路は前記減結合ダイオードを介して前記平滑コンデンサから遮断される、
請求項１に記載のドライバ回路。
【請求項５】
前記制御回路は、前記ブリーダ回路の前記制御経路に結合された制御スイッチであって、
前記感知されたＬＥＤ装置電流が前記閾値未満であるときには前記ブリーダ回路を有効にするために前記制御経路を分路しないようにオフになり、
前記感知されたＬＥＤ装置電流が上限値よりも大きいときには前記ブリーダ回路を無効にするために前記制御経路を分路するようにオンになり、
前記感知されたＬＥＤ装置電流が前記閾値と前記上限値との間であるときには線形領域で動作する、
制御スイッチを備え、
前記入力電力は、位相カットされたメインの電圧であり、前記第１のフェーズは、前記入力電力の位相カットされた期間に対応し、前記第２のフェーズは、前記入力電力の位相カットされていない期間に対応する、
請求項３又は４に記載のドライバ回路。
【請求項６】
前記コンデンサを充電するように流れる電流を感知し、かつ、前記平滑コンデンサを充電する前記第２のフェーズにおいて充電コンデンサ電流が流れているときにのみ前記ブリーダ回路を作動させるためのセンサを更に備える、
請求項１に記載のドライバ回路。
【請求項７】
前記ブリーダ回路は更に、前記センサとして、前記平滑コンデンサの充電電流を感知するための、前記平滑コンデンサと直列に接続された電流感知素子を備え、
前記制御回路は、感知された前記平滑コンデンサの充電電流と前記感知されたＬＥＤ装置電流との比較を通じて前記ブリーダ回路を有効にするための比較回路を備え、
前記入力電力は、位相カットされたメインの電圧であり、前記第１のフェーズは、前記入力電力の位相カットされた期間に対応し、前記第２のフェーズは、前記入力電力の位相カットされていない期間に対応する、
請求項６に記載のドライバ回路。
【請求項８】
ＬＥＤ装置を駆動するドライバ回路であって、前記ドライバ回路は、
前記ＬＥＤ装置に駆動電流を供給するための電源であって、調光された入力電力を前記駆動電流に変換する電源と、
前記ＬＥＤ装置を通るＬＥＤ装置電流を感知する、前記ＬＥＤ装置と直列の電流感知素子と、
前記ＬＥＤ装置と並列に接続されたブリード経路を有するブリーダ回路であって、前記ＬＥＤ装置の出力電力を低減するために前記駆動電流からブリード部分を除去するブリーダ回路と、
前記電流感知素子によって感知された前記ＬＥＤ装置電流が閾値未満の場合に、前記ＬＥＤ装置を更に減光するために、前記ブリーダ回路を有効にするための制御回路と
を含み、
前記ブリーダ回路は、
前記ＬＥＤ装置と並列の電流ブリードブランチを含む第１のブランチを含み、
前記電流感知素子が、前記ＬＥＤ装置と前記電流ブリードブランチとに接続する出力を有するセンス抵抗装置を備え、前記センス抵抗が、前記駆動電流を感知し、かつ、前記駆動電流に従って前記ブリード部分を調節し、
前記ブリーダ回路は更に、
前記電流ブリードブランチによってブリードされる前記ブリード部分を設定するための電流設定ブランチを含み、
前記電流ブリードブランチ及び前記電流設定ブランチがカレントミラーを形成し、前記駆動電流の前記ブリード部分が、前記カレントミラー内の前記電流設定ブランチのエミッタ抵抗と前記電流ブリードブランチのエミッタ抵抗との比に依存し、
前記ブリーダ回路は更に、
前記電流設定ブランチの前記エミッタ抵抗に結合され、前記駆動電流のフェーズ若しくは前記電源へ流れる整流されたメインの電力のフェーズに従って、前記電流設定ブランチの前記エミッタ抵抗を増加させて高ブリード電流を達成する、若しくは前記電流設定ブランチの前記エミッタ抵抗を低減させて低ブリード電流を達成する、又は
前記電流ブリードブランチの前記エミッタ抵抗に結合され、前記駆動電流のフェーズ若しくは前記電源へ流れる整流されたメインの電力のフェーズに従って、前記電流ブリードブランチの前記エミッタ抵抗を低減させて高ブリード電流を達成する、若しくは前記電流ブリードブランチの前記エミッタ抵抗を増加させて低ブリード電流を達成する、抵抗調整回路を備える、ドライバ回路。
【請求項９】
前記抵抗調整回路は切替装置を備え、
前記切替装置は、前記電流設定ブランチに結合され、かつ、
並列抵抗器を前記電流設定ブランチの中に切り替えて、前記電流設定ブランチの前記エミッタ抵抗を低減させ、それによって、前記整流されたメインの電力がゼロに切断された際に低ブリード電流を達成し、
前記並列抵抗器を前記電流設定ブランチから外へ切り替えて、前記電流設定ブランチの前記エミッタ抵抗を増加させ、それによって、前記整流されたメインの電力が切断されていない場合に高ブリード電流を達成するように、使用されるか、
又は
前記切替装置は、前記電流ブリードブランチに結合され、かつ、
前記電流ブリードブランチの前記エミッタ抵抗の少なくとも一部を短絡し、それによって、前記整流されたメインの電力が切断されていない場合に高ブリード電流を達成し、
前記電流ブリードブランチの前記エミッタ抵抗を維持し、それによって、前記整流されたメインの電力がゼロに切断された場合に低ブリード電流を達成するように、使用され、
前記入力電力は、位相カットされたメインの電圧であり、前記第１のフェーズは、前記入力電力の位相カットされた期間に対応し、前記第２のフェーズは、前記入力電力の位相カットされていない期間に対応する、
請求項８に記載のドライバ回路。
【請求項１０】
前記駆動信号のフェーズを検出するために、前記センス抵抗装置に結合されたピーク検出器を備え、前記ピーク検出器は、前記駆動電流が増加していることを検出し、かつ、前記電流設定ブランチのエミッタ経路中の抵抗器を短絡するために前記切替装置を有効にし、それによって、前記駆動電流が増加している場合に高ブリード電流を達成し、
前記ブリーダ回路は、前記駆動電流が増加しているとの前記検出に対して一定の時間遅延後に、前記切替装置が前記抵抗器を短絡するのを停止するように動作する時間遅延回路を、更に備える、
請求項８に記載のドライバ回路。
【請求項１１】
前記ＬＥＤ装置の両端に接続され、前記ＬＥＤ装置に平滑化された駆動電圧を供給する平滑コンデンサを備え、
前記時間遅延回路は、前記切替装置のベースに結合されたコンデンサを有する副回路を備え、前記切替装置は、バイポーラトランジスタである、
請求項１０に記載のドライバ回路。
【請求項１２】
前記センス抵抗装置は、直列の第１及び第２の抵抗器と、ある値を上回る前記駆動電流に応じて、これらの抵抗器のうちの１つを短絡する短絡装置とを備える、請求項８に記載のドライバ回路。
【請求項１３】
前記駆動信号を検出し、かつ、前記駆動信号が前記閾値を超えたときに前記ブリーダ回路をオフにするための、検出器を備える、請求項１２に記載のドライバ回路。
【請求項１４】
請求項１乃至１３の何れか一項に記載のドライバ回路と、
前記ドライバ回路によって駆動されるＬＥＤ装置と、
を備える、照明回路。